(57)【要約】【課題】複雑で膨大なデータ、メニューおよび端末機のイベント情報を簡便に管理して、接近するための移動体インタフェースを提供する移動端末機、およびこれを用いた移動体インタフェースの提供方法を提供する。【解決手段】本発明に係る移動端末機を用いた移動体インタフェース提供方法は、ポインティングデバイスを備えた移動端末機を用いて、(ａ）それぞれの特定のアプリケーションを代表する一つ以上の移動体を前記端末機の画面にディスプレイする段階と、(ｂ）特定のイベントの発生を感知する段階と、(ｃ）前記イベント発生の感知により、前記移動体のディスプレイを変化させる段階と、を備えてなる。【選択図】図１
2006311498.tif 000002
【特許請求の範囲】
【請求項１】
ポインティングデバイスを備えた移動端末機を用いた移動体インタフェース提供方法において、
（ａ）それぞれの特定のアプリケーションを代表する一つ以上の移動体を前記端末機の画面にディスプレイする段階と、
（ｂ）特定のイベントの発生を感知する段階と、
（ｃ）前記イベント発生の感知によって前記移動体のディスプレイを変化させる段階と、
を備える移動端末機を用いた移動体インタフェース提供方法。
【請求項２】
前記特定のイベントは、
前記ポインティングデバイスを介して前記画面内の特定の地点が選択されることを特徴とする請求項１に記載の移動端末機を用いた移動体インタフェース提供方法。
【請求項３】
前記(ｃ)段階は、
前記地点から所定の距離内に位置する前記移動体を前記地点の周辺にディスプレイすることを特徴とする請求項２に記載の移動端末機を用いた移動体インタフェース提供方法。
【請求項４】
前記特定のイベントは、
外部からメッセージを受信することを特徴とする請求項１に記載の移動端末機を用いた移動体インタフェース提供方法。
【請求項５】
（ｄ）前記移動体のうち何れか一つが選択される場合、その選択された移動体が代表する特定のアプリケーションを実行する段階を更に備えることを特徴とする請求項１に記載の移動端末機を用いた移動体インタフェース提供方法。
【請求項６】
ポインティングデバイスを備えた移動端末機を用いた移動体インタフェース提供方法において、
（ａ）それぞれの特定のアプリケーションを代表する一つ以上の移動体を前記端末機の画面にディスプレイする段階と、
（ｂ）前記ポインティングデバイスを介して前記画面内の特定の地点を入力する段階と、
（ｃ）前記地点から所定の距離内に位置する前記移動体が前記地点の周辺に集まるまで、前記地点に向けて移動する形状をディスプレイする段階と、
を備える移動端末機を用いた移動体インタフェース提供方法。
【請求項７】
前記(ｃ)段階は、
（ｃ−１）前記移動する移動体の外観を変化させる段階を含む請求項６に記載の移動端末機を用いた移動体インタフェース提供方法。
【請求項８】
ユーザが前記移動体の移動速度を設定できることを特徴とする請求項６に記載の移動端末機を用いた移動体インタフェース提供方法。
【請求項９】
(ｄ)前記移動体のうち何れか一つが選択された場合、その選択された移動体が代表する特定のアプリケーションを実行する段階を更に備える請求項６に記載の移動端末機を用いた移動体インタフェース提供方法。
【請求項１０】
前記(ｄ)段階は、
（ｄ−１）前記選択された移動体の外観を変化させる段階を含む請求項９に記載の移動端末機を用いた移動体インタフェース提供方法。
【請求項１１】
前記(ｄ)段階は、
（ｄ−２）前記移動体の選択を知らせるための音響を出力する段階を含む請求項９に記載の移動端末機を用いた移動体インタフェース提供方法。
【請求項１２】
ポインティングデバイスを備えた移動端末機を用いた移動体インタフェース提供方法において、
（ａ）それぞれの特定のアプリケーションを代表する一つ以上の移動体を前記端末機の画面にディスプレイする段階と、
（ｂ）特定のイベントの発生を感知する段階と、
（ｃ）前記イベントの発生を知らせるために、前記移動体のうち前記イベントを管理する特定のアプリケーションに対する移動体の外観を変化させる段階と、
を備える移動端末機を用いた移動体インタフェース提供方法。
【請求項１３】
前記(ｃ)段階は、
前記移動体のカラーを変化させることを特徴とする請求項１２に記載の移動端末機を用いた移動体インタフェース提供方法。
【請求項１４】
（ｄ）前記移動体のうち何れか一つが選択された場合、その選択された移動体が代表する特定のアプリケーションを実行する段階を更に備える請求項１２に記載の移動端末機を用いた移動体インタフェース提供方法。
【請求項１５】
ポインティングデバイスを備えた移動端末機を用いた移動体インタフェース方法において、
（ａ）それぞれの特定のアプリケーションを代表する一つ以上の移動体を前記端末機の画面にディスプレイする段階と、
（ｂ）特定のイベントの発生を感知する段階と、
（ｃ）前記イベントの発生により、前記イベントを代表するアイコンを前記画面の所定の位置にディスプレイする段階と、
（ｄ）前記移動体のうち前記イベントを管理する特定のアプリケーションに対する移動体が前記アイコンが位置した地点に移動する形状をディスプレイする段階と、
を備える移動端末機を用いた移動体インタフェース提供方法。
【請求項１６】
ユーザが前記移動体の移動速度を設定できることを特徴とする請求項１５に記載の移動端末機を用いた移動体インタフェース提供方法。
【請求項１７】
（ｅ）前記移動体のうち何れか一つが選択された場合、その選択された移動体が代表する特定のアプリケーションを実行する段階を更に備える請求項１５に記載の移動端末機を用いた移動体インタフェース提供方法。
【請求項１８】
前記移動体は、動的に変化可能なイメージ形態でディスプレイされることを特徴とする請求項１ないし請求項１７のうち何れか一つに記載の移動端末機を用いた移動体インタフェース提供方法。
【請求項１９】
前記ポインティングデバイスは、タッチスクリーンであることを特徴とする請求項１ないし請求項１７のうち何れか一つに記載の移動端末機を用いた移動体インタフェース提供方法。
【請求項２０】
前記ポインティングデバイスは、タッチパッドであることを特徴とする請求項１ないし請求項１７のうち何れか一つに記載の移動端末機を用いた移動体インタフェース提供方法。
【請求項２１】
ポインティングデバイスと、
表示部と、
それぞれの特定のアプリケーションを代表する一つ以上の移動体を前記表示部にディスプレイして、特定のイベントの発生を感知し、前記イベント発生の感知によって前記移動体のディスプレイを変化させるように制御する制御部と、
を含む移動体インタフェースを提供する移動端末機。
【請求項２２】
前記特定のイベントは、
前記ポインティングデバイスを介して前記表示部内の特定の地点が選択されることを特徴とする請求項２１に記載の移動体インタフェースを提供する移動端末機。
【請求項２３】
前記制御部は、
前記地点から所定の距離内に位置する前記移動体を前記地点の周辺にディスプレイするように制御することを特徴とする請求項２２に記載の移動体インタフェースを提供する移動端末機。
【請求項２４】
前記特定のイベントは、
外部からメッセージを受信することを特徴とする請求項２１に記載の移動体インタフェースを提供する移動端末機。
【請求項２５】
前記制御部は、
前記移動体のうち何れか一つが選択された場合、その選択された移動体が代表する特定のアプリケーションを実行させる動作を更に行うことを特徴とする請求項２１に記載の移動体インタフェースを提供する移動端末機。
【請求項２６】
ポインティングデバイスと、
表示部と、
それぞれの特定のアプリケーションを代表する一つ以上の移動体を前記表示部にディスプレイして、前記ポインティングデバイスを介して前記表示部内の特定の地点が入力された場合、前記地点から所定の距離内に位置する前記移動体が前記地点の周辺に集まるまで前記地点に向けて移動する形状をディスプレイするように制御する制御部と、
を含む移動体インタフェースを提供する移動端末機。
【請求項２７】
前記制御部は、
前記移動する移動体の外観を変化させる動作を更に行うことを特徴とする請求項２６に記載の移動体インタフェースを提供する移動端末機。
【請求項２８】
ユーザが前記移動体の移動速度を設定できることを特徴とする請求項２６に記載の移動体インタフェースを提供する移動端末機。
【請求項２９】
前記制御部は、
前記移動体のうち何れか一つが選択された場合、その選択された移動体が代表する特定のアプリケーションを実行させる動作を更に行うことを特徴とする請求項２６に記載の移動体インタフェースを提供する移動端末機。
【請求項３０】
前記制御部は、
前記選択された移動体の外観を変化させる動作を更に行うことを特徴とする請求項２９に記載の移動体インタフェースを提供する移動端末機。
【請求項３１】
音響出力部を更に含み、
前記制御部は、
前記音響出力部を介して前記移動体の選択を知らせるための音響を出力する動作を更に行うことを特徴とする請求項２９に記載の移動体インタフェースを提供する移動端末機。
【請求項３２】
ポインティングデバイスと、
表示部と、
それぞれの特定のアプリケーションを代表する一つ以上の移動体を前記表示部にディスプレイして、特定のイベントの発生を感知し、前記イベントの発生を知らせるために、前記移動体のうち前記イベントを管理する特定のアプリケーションに対する移動体の外観を変化させるように制御する制御部と、
を含む移動体インタフェースを提供する移動端末機。
【請求項３３】
前記移動体の外観変化は、
前記移動体のカラー変化であることを特徴とする請求項３２に記載の移動体インタフェースを提供する移動端末機。
【請求項３４】
前記制御部は、
前記移動体のうち何れか一つが選択された場合、その選択された移動体が代表する特定のアプリケーションを実行させる動作を更に行うことを特徴とする請求項３２に記載の移動体インタフェースを提供する移動端末機。
【請求項３５】
ポインティングデバイスと、
表示部と、
それぞれの特定のアプリケーションを代表する一つ以上の移動体を前記表示部にディスプレイして、特定のイベントの発生を感知し、前記イベントの発生により、前記イベントを代表するアイコンを前記画面の所定の位置にディスプレイし、前記移動体のうち前記イベントを管理する特定のアプリケーションに対する移動体が前記アイコンの位置した地点に移動する形状をディスプレイするように制御する制御部と、
を含む移動体インタフェースを提供する移動端末機。
【請求項３６】
ユーザが前記移動体の移動速度を設定できることを特徴とする請求項３５に記載の移動体インタフェースを提供する移動端末機。
【請求項３７】
前記制御部は、
前記移動体のうち何れか一つが選択された場合、その選択された移動体が代表する特定のアプリケーションを実行させる動作を更に行うことを特徴とする請求項３５に記載の移動体インタフェースを提供する移動端末機。
【請求項３８】
前記移動体は、動的に変化可能なイメージ形態でディスプレイされることを特徴とする請求項２１ないし請求項３７のうち何れか一つに記載の移動体インタフェースを提供する移動端末機。
【請求項３９】
前記ポインティングデバイスは、タッチスクリーンであることを特徴とする請求項２１ないし請求項３７のうち何れか一つに記載の移動体インタフェースを提供する移動端末機。
【請求項４０】
前記ポインティングデバイスは、タッチパッドであることを特徴とする請求項２１ないし請求項３７のうち何れか一つに記載の移動体インタフェースを提供する移動端末機。
【発明の詳細な説明】
【技術分野】
【０００１】
本発明はポインティングデバイスを備えた移動端末機に関し、特に、ユーザに便利で興味をもたせるユーザインタフェースを提供するための移動体インタフェースを提供する移動端末機、およびこれを用いた移動客体インタフェース提供方法に関する。
【背景技術】
【０００２】
従来、移動端末機のメニューを表示する画面は格子タイプの構造を有している。この際、ユーザが所望するメニューを実行するためには、メニューリストの指定された格子内でカーソル、或いは４方向キーの操作などによってｘ−ｙ座標ナビゲーションを用いてメニューのコントロールが可能である。
【０００３】
しかしながら、メモリの増大およびマルチメディアと関連した多様な機能の提供に伴い、移動端末機のデータが膨大となり、メニューの構造が複雑となることにより、指定された格子タイプのインタフェースと段階的な構造は、多くの情報を提示してユーザが所望するスタイルの画面を構成するには本質的な限界があった。
【０００４】
また、キー操作による格子タイプのメニュー接近方式は、ユーザのキー操作の回数および操作時間を増加させ、不便であるという問題点があった。
【０００５】
一方、ウィンドー環境で客体中心のメニューを提供する場合にも、メニューが特定の位置に固定されているために、ユーザに楽しみの要素を与えるのに限界があり、上記のような問題点がそのまま現れる。
【０００６】
特に、タッチスクリーンのようなポインティングデバイスを備えた移動端末機の場合にも、固定されているメニューリストのうち特定のメニューを正確にポインティングしなければならないので、操作的なコストが発生して、ユーザに過度なストレスを与えることがある。
【発明の開示】
【発明が解決しようとする課題】
【０００７】
本発明は上記のような問題点を解決するために提案されたもので、複雑で膨大なデータ、メニューおよび端末機のイベント情報を簡便に管理して、接近するための移動体インタフェースを提供する移動端末機、およびこれを用いた移動体インタフェースの提供方法を提供することにその目的がある。
【０００８】
本発明の他の目的は、自由に動ける移動体の間の空間を用いて、迅速かつ容易にユーザが所望するアプリケーションに接近できるようにした、移動体インタフェースを提供する移動端末機、およびこれを用いた移動体インタフェースの提供方法を提供することにある。
【０００９】
さらに他の目的として、それぞれの特定のアプリケーションを代表する移動体を多様な形態でディスプレイすることで、特定のアプリケーションの選択が容易になるばかりでなく、ユーザに楽しみの要素を提供することのできる、移動体インタフェースを提供する移動端末機、およびこれを用いた移動体インタフェースの提供方法を提供することにある。
【課題を解決するための手段】
【００１０】
上記目的を達成するための本発明の一様態として、本発明に係る移動端末機を用いた移動体インタフェース提供方法は、ポインティングデバイスを備えた移動端末機を用いて、(ａ）それぞれの特定のアプリケーションを代表する一つ以上の移動体を前記端末機の画面にディスプレイする段階と、(ｂ）特定のイベントの発生を感知する段階と、(ｃ）前記イベント発生の感知によって前記移動体のディスプレイを変化させる段階と、を備えてなる。
【００１１】
上記目的を達成するための本発明の他の様態として、本発明に係る移動端末機を用いた移動体インタフェース提供方法は、ポインティングデバイスを備えた移動端末機を用いて、
（ａ）それぞれの特定のアプリケーションを代表する一つ以上の移動体を前記端末機の画面にディスプレイする段階と、(ｂ）前記ポインティングデバイスを介して前記画面内の特定の地点を入力する段階と、(ｃ）前記地点から所定の距離内に位置する前記移動体が前記地点の周辺に集まるまで、前記地点に向けて移動する形状をディスプレイする段階と、を備えてなる。
【００１２】
上記目的を達成するための本発明のさらに他の様態として、本発明に係る移動端末機を用いた移動体インタフェース提供方法は、ポインティングデバイスを備えた移動端末機を用いて、(ａ）それぞれの特定のアプリケーションを代表する一つ以上の移動体を前記端末機の画面にディスプレイする段階と、(ｂ）特定のイベントの発生を感知する段階と、（ｃ）前記イベントの発生を知らせるために、前記移動体のうち前記イベントを管理する特定のアプリケーションに対する移動体の外観を変化させる段階と、を備えてなる。
【００１３】
上記目的を達成するための本発明のさらに他の様態として、本発明に係る移動端末機を用いた移動体インタフェース提供方法は、ポインティングデバイスを備えた移動端末機を用いて、(ａ）それぞれの特定のアプリケーションを代表する一つ以上の移動体を前記端末機の画面にディスプレイする段階と、(ｂ）特定のイベントの発生を感知する段階と、(ｃ）前記イベントの発生により、前記イベントを代表するアイコンを前記画面の所定の位置にディスプレイする段階と、(ｄ）前記移動体のうち前記イベントを管理する特定のアプリケーションに対する移動体が前記アイコンの位置した地点に移動する形状をディスプレイする段階と、を備えてなる。
【００１４】
上記目的を達成するための本発明のさらに他の様態として、本発明に係る移動体インタフェースを提供する移動端末機は、ポインティングデバイスと、表示部と、それぞれの特定のアプリケーションを代表する一つ以上の移動体を前記表示部にディスプレイして、特定のイベントの発生を感知し、前記イベント発生の感知によって前記移動体のディスプレイを変化させるように制御する制御部と、を含んでなる。
【００１５】
上記目的を達成するための本発明のさらに他の様態として、本発明に係る移動体インタフェースを提供する移動端末機は、ポインティングデバイスと、表示部と、それぞれの特定のアプリケーションを代表する一つ以上の移動体を前記表示部にディスプレイして、前記ポインティングデバイスを介して前記表示部内の特定の地点が入力された場合、前記地点から所定の距離内に位置する前記移動体が前記地点の周辺に集まるまで前記地点に向けて移動する形状をディスプレイするように制御する制御部と、を含んでなる。
【００１６】
上記目的を達成するための本発明のさらに他の様態として、本発明に係る移動体インタフェースを提供する移動端末機は、ポインティングデバイスと、表示部と、それぞれの特定のアプリケーションを代表する一つ以上の移動体を前記表示部にディスプレイして、特定のイベントの発生を感知して、前記イベントの発生を知らせるために、前記移動体のうち前記イベントを管理する特定のアプリケーションに対する移動体の外観を変化させるように制御する制御部と、を含んでなる。
【００１７】
上記目的を達成するための本発明のさらに他の様態として、本発明に係る移動体インタフェースを提供する移動端末機は、ポインティングデバイスと、表示部と、それぞれの特定のアプリケーションを代表する一つ以上の移動体を前記表示部にディスプレイして、特定のイベントの発生を感知して、前記イベントの発生により、前記イベントを代表するアイコンを前記画面の所定の位置にディスプレイし、前記移動体のうち前記イベントを管理する特定のアプリケーションに対する移動体が前記アイコンの位置した地点に移動する形状をディスプレイするように制御する制御部と、を含んでなる。
【００１８】
上記目的を達成するために、本発明は、例えば、以下の手段を提供する。
（項目１）
ポインティングデバイスを備えた移動端末機を用いた移動体インタフェース提供方法において、
（ａ）それぞれの特定のアプリケーションを代表する一つ以上の移動体を上記端末機の画面にディスプレイする段階と、
（ｂ）特定のイベントの発生を感知する段階と、
（ｃ）上記イベント発生の感知によって上記移動体のディスプレイを変化させる段階と、
を備える移動端末機を用いた移動体インタフェース提供方法。
（項目２）
上記特定のイベントは、
上記ポインティングデバイスを介して上記画面内の特定の地点が選択されることを特徴とする項目１に記載の移動端末機を用いた移動体インタフェース提供方法。
（項目３）
上記(ｃ)段階は、
上記地点から所定の距離内に位置する上記移動体を上記地点の周辺にディスプレイすることを特徴とする項目２に記載の移動端末機を用いた移動体インタフェース提供方法。
（項目４）
上記特定のイベントは、
外部からメッセージを受信することを特徴とする項目１に記載の移動端末機を用いた移動体インタフェース提供方法。
（項目５）
（ｄ）上記移動体のうち何れか一つが選択される場合、その選択された移動体が代表する特定のアプリケーションを実行する段階を更に備えることを特徴とする項目１に記載の移動端末機を用いた移動体インタフェース提供方法。
（項目６）
ポインティングデバイスを備えた移動端末機を用いた移動体インタフェース提供方法において、
（ａ）それぞれの特定のアプリケーションを代表する一つ以上の移動体を上記端末機の画面にディスプレイする段階と、
（ｂ）上記ポインティングデバイスを介して上記画面内の特定の地点を入力する段階と、
（ｃ）上記地点から所定の距離内に位置する上記移動体が上記地点の周辺に集まるまで、上記地点に向けて移動する形状をディスプレイする段階と、
を備える移動端末機を用いた移動体インタフェース提供方法。
（項目７）
上記(ｃ)段階は、
（ｃ−１）上記移動する移動体の外観を変化させる段階を含む項目６に記載の移動端末機を用いた移動体インタフェース提供方法。
（項目８）
ユーザが上記移動体の移動速度を設定できることを特徴とする項目６に記載の移動端末機を用いた移動体インタフェース提供方法。
（項目９）
(ｄ)上記移動体のうち何れか一つが選択された場合、その選択された移動体が代表する特定のアプリケーションを実行する段階を更に備える項目６に記載の移動端末機を用いた移動体インタフェース提供方法。
（項目１０）
上記(ｄ)段階は、
（ｄ−１）上記選択された移動体の外観を変化させる段階を含む項目９に記載の移動端末機を用いた移動体インタフェース提供方法。
（項目１１）
上記(ｄ)段階は、
（ｄ−２）上記移動体の選択を知らせるための音響を出力する段階を含む項目９に記載の移動端末機を用いた移動体インタフェース提供方法。
（項目１２）
ポインティングデバイスを備えた移動端末機を用いた移動体インタフェース提供方法において、
（ａ）それぞれの特定のアプリケーションを代表する一つ以上の移動体を上記端末機の画面にディスプレイする段階と、
（ｂ）特定のイベントの発生を感知する段階と、
（ｃ）上記イベントの発生を知らせるために、上記移動体のうち上記イベントを管理する特定のアプリケーションに対する移動体の外観を変化させる段階と、
を備える移動端末機を用いた移動体インタフェース提供方法。
（項目１３）
上記(ｃ)段階は、
上記移動体のカラーを変化させることを特徴とする項目１２に記載の移動端末機を用いた移動体インタフェース提供方法。
（項目１４）
（ｄ）上記移動体のうち何れか一つが選択された場合、その選択された移動体が代表する特定のアプリケーションを実行する段階を更に備える項目１２に記載の移動端末機を用いた移動体インタフェース提供方法。
（項目１５）
ポインティングデバイスを備えた移動端末機を用いた移動体インタフェース方法において、
（ａ）それぞれの特定のアプリケーションを代表する一つ以上の移動体を上記端末機の画面にディスプレイする段階と、
（ｂ）特定のイベントの発生を感知する段階と、
（ｃ）上記イベントの発生により、上記イベントを代表するアイコンを上記画面の所定の位置にディスプレイする段階と、
（ｄ）上記移動体のうち上記イベントを管理する特定のアプリケーションに対する移動体が上記アイコンが位置した地点に移動する形状をディスプレイする段階と、
を備える移動端末機を用いた移動体インタフェース提供方法。
（項目１６）
ユーザが上記移動体の移動速度を設定できることを特徴とする項目１５に記載の移動端末機を用いた移動体インタフェース提供方法。
（項目１７）
（ｅ）上記移動体のうち何れか一つが選択された場合、その選択された移動体が代表する特定のアプリケーションを実行する段階を更に備える項目１５に記載の移動端末機を用いた移動体インタフェース提供方法。
（項目１８）
上記移動体は、動的に変化可能なイメージ形態でディスプレイされることを特徴とする項目１ないし項目１７のうち何れか一つに記載の移動端末機を用いた移動体インタフェース提供方法。
（項目１９）
上記ポインティングデバイスは、タッチスクリーンであることを特徴とする項目１ないし項目１７のうち何れか一つに記載の移動端末機を用いた移動体インタフェース提供方法。
（項目２０）
上記ポインティングデバイスは、タッチパッドであることを特徴とする項目１ないし項目１７のうち何れか一つに記載の移動端末機を用いた移動体インタフェース提供方法。
（項目２１）
ポインティングデバイスと、
表示部と、
それぞれの特定のアプリケーションを代表する一つ以上の移動体を上記表示部にディスプレイして、特定のイベントの発生を感知し、上記イベント発生の感知によって上記移動体のディスプレイを変化させるように制御する制御部と、
を含む移動体インタフェースを提供する移動端末機。
（項目２２）
上記特定のイベントは、
上記ポインティングデバイスを介して上記表示部内の特定の地点が選択されることを特徴とする項目２１に記載の移動体インタフェースを提供する移動端末機。
（項目２３）
上記制御部は、
上記地点から所定の距離内に位置する上記移動体を上記地点の周辺にディスプレイするように制御することを特徴とする項目２２に記載の移動体インタフェースを提供する移動端末機。
（項目２４）
上記特定のイベントは、
外部からメッセージを受信することを特徴とする項目２１に記載の移動体インタフェースを提供する移動端末機。
（項目２５）
上記制御部は、
上記移動体のうち何れか一つが選択された場合、その選択された移動体が代表する特定のアプリケーションを実行させる動作を更に行うことを特徴とする項目２１に記載の移動体インタフェースを提供する移動端末機。
（項目２６）
ポインティングデバイスと、
表示部と、
それぞれの特定のアプリケーションを代表する一つ以上の移動体を上記表示部にディスプレイして、上記ポインティングデバイスを介して上記表示部内の特定の地点が入力された場合、上記地点から所定の距離内に位置する上記移動体が上記地点の周辺に集まるまで上記地点に向けて移動する形状をディスプレイするように制御する制御部と、
を含む移動体インタフェースを提供する移動端末機。
（項目２７）
上記制御部は、
上記移動する移動体の外観を変化させる動作を更に行うことを特徴とする項目２６に記載の移動体インタフェースを提供する移動端末機。
（項目２８）
ユーザが上記移動体の移動速度を設定できることを特徴とする項目２６に記載の移動体インタフェースを提供する移動端末機。
（項目２９）
上記制御部は、
上記移動体のうち何れか一つが選択された場合、その選択された移動体が代表する特定のアプリケーションを実行させる動作を更に行うことを特徴とする項目２６に記載の移動体インタフェースを提供する移動端末機。
（項目３０）
上記制御部は、
上記選択された移動体の外観を変化させる動作を更に行うことを特徴とする項目２９に記載の移動体インタフェースを提供する移動端末機。
（項目３１）
音響出力部を更に含み、
上記制御部は、
上記音響出力部を介して上記移動体の選択を知らせるための音響を出力する動作を更に行うことを特徴とする項目２９に記載の移動体インタフェースを提供する移動端末機。
（項目３２）
ポインティングデバイスと、
表示部と、
それぞれの特定のアプリケーションを代表する一つ以上の移動体を上記表示部にディスプレイして、特定のイベントの発生を感知し、上記イベントの発生を知らせるために、上記移動体のうち上記イベントを管理する特定のアプリケーションに対する移動体の外観を変化させるように制御する制御部と、
を含む移動体インタフェースを提供する移動端末機。
（項目３３）
上記移動体の外観変化は、
上記移動体のカラー変化であることを特徴とする項目３２に記載の移動体インタフェースを提供する移動端末機。
（項目３４）
上記制御部は、
上記移動体のうち何れか一つが選択された場合、その選択された移動体が代表する特定のアプリケーションを実行させる動作を更に行うことを特徴とする項目３２に記載の移動体インタフェースを提供する移動端末機。
（項目３５）
ポインティングデバイスと、
表示部と、
それぞれの特定のアプリケーションを代表する一つ以上の移動体を上記表示部にディスプレイして、特定のイベントの発生を感知し、上記イベントの発生により、上記イベントを代表するアイコンを上記画面の所定の位置にディスプレイし、上記移動体のうち上記イベントを管理する特定のアプリケーションに対する移動体が上記アイコンの位置した地点に移動する形状をディスプレイするように制御する制御部と、
を含む移動体インタフェースを提供する移動端末機。
（項目３６）
ユーザが上記移動体の移動速度を設定できることを特徴とする項目３５に記載の移動体インタフェースを提供する移動端末機。
（項目３７）
上記制御部は、
上記移動体のうち何れか一つが選択された場合、その選択された移動体が代表する特定のアプリケーションを実行させる動作を更に行うことを特徴とする項目３５に記載の移動体インタフェースを提供する移動端末機。
（項目３８）
上記移動体は、動的に変化可能なイメージ形態でディスプレイされることを特徴とする項目２１ないし項目３７のうち何れか一つに記載の移動体インタフェースを提供する移動端末機。
（項目３９）
上記ポインティングデバイスは、タッチスクリーンであることを特徴とする項目２１ないし項目３７のうち何れか一つに記載の移動体インタフェースを提供する移動端末機。
（項目４０）
上記ポインティングデバイスは、タッチパッドであることを特徴とする項目２１ないし項目３７のうち何れか一つに記載の移動体インタフェースを提供する移動端末機。
【発明の効果】
【００１９】
本発明に係る移動体インタフェースを提供する移動端末機、およびこれを用いた移動体インタフェース提供方法の効果は次のとおりである。
【００２０】
第一に、本発明によれば、移動体インタフェースを用いて、複雑で膨大なデータ、メニュー、および端末機のイベント情報の管理がし易くなる。
【００２１】
第二に、自由に動ける移動体間の空間を用いて、ユーザが所望するアプリケーションに迅速かつ容易に接近することができる。
【００２２】
第三に、それぞれの特定のアプリケーションを代表する移動体を多様な形態でディスプレイすることで、特定のアプリケーションを容易に選択できるばかりでなく、ユーザに楽しみの要素を提供することができる。
【００２３】
したがって、 本発明によれば、移動端末機が提供する各種の機能、メニュー、フォルダー、コンテンツなどを便利に選択しかつ容易に接近するためのユーザインタフェースを提供することで、端末機の使用上の便宜性を高めることができる。
【発明を実施するための最良の形態】
【００２４】
以下、本発明の好適な実施例について、添付の図面に基づいて詳細に説明する。
【００２５】
図１は、本発明の好ましい第１実施例による移動端末機を用いた移動体インタフェース提供方法のフローチャートである。
【００２６】
図２は、本発明に係る移動体インタフェースを提供する待機画面の一例を示した図面である。
【００２７】
図１および図２を参照して、本発明の好ましい第１実施例による移動端末機を用いた移動体インタフェース提供方法を説明する。
【００２８】
本発明に係る移動体インタフェースの提供方法は、ポインティングデバイスを備えた移動端末機を用いることができる。ポインティングデバイスとは、メニュー項目の選択、或いは実行、スプレッドシート(表計算)内のセルの範囲や文書内の単語の集合の指定のような操作のための表示画面上のカーソル、或いはポインタの移動を制御するために用いられる入力装置をいう。代表的なポインティングデバイスとしては、タッチスクリーン、タッチパッド、マウスなどがある。
【００２９】
まず、それぞれの特定のアプリケーションを代表する一つ以上の移動体を前記端末機の画面にディスプレイする（Ｓ１００）。
前記アプリケーションは、前記端末機が提供可能な各種の機能、メニュー、フォルダー、コンテンツなどを含む。図２で、アプリケーションの例としてＴＶ、アラーム、カレンダー、メッセージ、アルバムを示している。前記それぞれのアプリケーションは下位階層の構造を有して、前記下位階層の構造はまた本発明が提供する移動体インタフェースの構造としてディスプレイされる。
【００３０】
前記移動体は、動的に変化可能なイメージ形態でディスプレイされることが好ましい。図２に示した例は、移動体として魚をキャラクター化したイメージをディスプレイしている。しかし、前記魚のキャラクターは一例に過ぎず、前記移動体は多様な形状のキャラクターとしてイメージ化され得る。また、それぞれの特定のアプリケーションを代表するそれぞれの移動体ごとに異なる形状のキャラクターでディスプレイできる。
即ち、ＴＶを代表する移動体は魚形状のキャラクターでディスプレイして、アラームを代表する移動体は蛙形状のキャラクターでディスプレイすることができる。
【００３１】
前記移動体は、待機画面でランダムに動くことができる。即ち、図２の例で魚が水族館でのようにあちこち移動することができる。但し、前記移動体の移動速度は、ユーザが任意に設定できる。また、前記移動体は、所定の固定された位置でディスプレイされることもできる。この際、前記移動体は全く動かなかったり、前記固定された位置で震えるようにディスプレイされることもできる。
【００３２】
そして、ユーザは特定のアプリケーションに対する移動体が待機画面にディスプレイされるように登録したり削除することができる。
また、前記移動体は、客体志向プログラミング(Object  Oriented  Programming；ＯＯＰ)方式のモジュールで構成され得る。その後、特定のイベントの発生を感知する(Ｓ１１０)。
【００３３】
ここで、前記イベントとは、前記端末機に起こる変化をいう。例えば、ユーザが前記ポインティングデバイスを介して前記画面内の特定の地点を選択する場合、或いは外部からメッセージを受信した場合などがある。勿論、メッセージを受信するためには、前記移動端末機が別途の通信モジュールを備えなければならない。
【００３４】
その後、前記イベント発生の感知により、前記移動体のディスプレイを変化させる(Ｓ１２０)。
前記移動体のディスプレイの変化形態は多様である。即ち、前記移動体の模様、カラー、大きさ、移動形態、移動速度などを含む。
例えば、前記ポインティングデバイスを介して前記画面内の特定の地点が選択されたイベントが発生した場合、前記地点から所定の距離内に位置する前記移動体を前記地点の周辺にディスプレイできる。この際、それぞれの移動体が元の位置から前記地点の周辺まで移動する過程をディスプレイできる。前記地点からどれくらいの距離にある移動体を移動させるかは、ユーザによって設定される。
【００３５】
他の例として、外部からメッセージを受信するイベントが発生した場合、メッセージを管理する特定のアプリケーションに対する移動体のカラーを変化させることで、ユーザにメッセージが受信されたことを知らせることができる。
【００３６】
そして、前記移動体のうち何れか一つが選択された場合(Ｓ１３０)、前記選択された移動体が代表する特定のアプリケーションを実行する(Ｓ１４０)。例えば、ユーザがメッセージに関するアプリケーションに対する移動体を選択すると、メッセージに関するアプリケーションに進入可能である。前記移動体の選択は前記ポインティングデバイスを介して行われる。
【００３７】
前記特定のアプリケーションの実行形態は、それぞれのアプリケーションによって異なる。即ち、前記アプリケーションが下位メニューツリーを有する上位メニューの場合、下位メニューツリーをディスプレイする。この際、前記下位メニューツリーもまた本発明に係る移動体インタフェースの提供方法によってディスプレイされる。
【００３８】
又は、前記アプリケーションが音楽ファイルである場合、前記音楽ファイルを駆動させる。
【００３９】
以下、本発明に係る移動体インタフェースの提供方法に関するより具体的な実施例を詳細に説明する。
【００４０】
図３は、本発明の好ましい第２実施例による移動端末機を用いた移動体インタフェース提供方法のフローチャートである。
【００４１】
図４Ａないし図４Ｇは、本発明の好ましい第２実施例によって提供される移動体インタフェースの例示図である。
【００４２】
図３および図４を参照して、本発明の好ましい第２実施例による移動端末機を用いた移動体インタフェースの提供方法を以下に説明する。
【００４３】
本発明に係る移動体インタフェース提供方法は、ポインティングデバイスを備えた移動端末機を用いる。
【００４４】
図３および図４にはポインティングデバイスの例としてタッチスクリーンを示しているが、前記タッチスクリーンはポインティングデバイスの一例に過ぎず、これに限定されるわけではない。
【００４５】
まず、図４Ａに示したように、それぞれの特定のアプリケーションを代表する一つ以上の移動体を前記端末機の画面にディスプレイする（Ｓ３００）。前記特定のアプリケーションおよび移動体に関する細部的な特徴は、本発明の好ましい第１実施例で説明したものと同様である。
【００４６】
その後、図４Ｂに示したように、前記ポインティングデバイスを介して前記画面内の特定の地点が入力される（Ｓ３１０）。例えば、本発明の好ましい第１実施例と同様に、ユーザは指、或いはスタイラスペンなどを用いて前記タッチスクリーンの任意の地点を選択できる。
【００４７】
その後、前記入力された地点から所定の距離内に位置する前記移動体が前記地点の周辺に集まるまで前記地点に向けて移動する形状をディスプレイする（Ｓ３２０）。
ユーザは前記移動体の移動速度を設定できる。この際、全ての移動体に対して同一の移動速度を設定することができ、それぞれの移動体に対して互いに異なる移動速度を設定することもできる。
【００４８】
図４Ｃは、前記入力された地点から所定の距離内に位置する移動体がＴＶ、メッセージ、カレンダーを代表していることを示し、図４Ｄは、ＴＶ、メッセージ、カレンダーを代表する移動体が前記入力された地点の周辺に集まった状態を示している。
【００４９】
この際、前記移動する移動体の外観を変化させ得る（Ｓ３３０）。前記外観の変化は、移動しない移動体との差別化を視覚的に現すためである。前記外観の変化は、模様、カラー、大きさの変化など多様であり、２つ以上の変化が同時に起きることもある。
【００５０】
そして、前記移動体のうち何れか一つが選択された場合（Ｓ３４０）、前記選択された移動体が代表する特定のアプリケーションを実行する（Ｓ３６０）。図４Ｅは、メッセージを代表する移動体が選択される状況を示し、図４Ｇは、メッセージというアプリケーションが実行された状態を示す。前記移動体の選択は、ポインティングデバイスを介して行われ得る。
【００５１】
この際、前記選択された移動体の外観を変化させたり、前記移動体の選択を知らせるための音響を出力できる（Ｓ３５０）。前記外観の変化、或いは音響の出力は同時に発生可能である。前記過程（Ｓ３５０）によって、ユーザは特定の移動体が正しく選択されたことが分かる。
【００５２】
図４Ｆは、メッセージを代表する移動体上に三つのラインを有する円をディスプレイすることで、メッセージを代表する移動体が選択されたことを知らせる。
【００５３】
図５は、本発明の好ましい第３実施例による移動端末機を用いた移動体インタフェース提供方法のフローチャートである。
【００５４】
図６Ａないし図６Ｄは、本発明の好ましい第３実施例によって提供される移動体インタフェースの例示図である。
【００５５】
図７は本発明の好ましい第３実施例による他の例示図である。
【００５６】
図５ないし図７を参照して、本発明の好ましい第３実施例による移動端末機を用いた移動体インタフェースの提供方法を説明する。
【００５７】
本発明に係る移動体インタフェースの提供方法は、ポインティングデバイスを備えた移動端末機を用いる。
【００５８】
まず、図６Ａに示したように、それぞれの特定のアプリケーションを代表する一つ以上の移動体を前記端末機の画面にディスプレイする（Ｓ５００）。前記特定のアプリケーションおよび移動体に関する細部的な特徴は、本発明の好ましい第１実施例で説明したものと同様である。
【００５９】
その後、特定のイベントの発生を感知する（Ｓ５１０）。
【００６０】
前記イベントは、本発明の好ましい第１実施例と同様に、前記端末機に起こる変化を言う。例えば、メッセージの受信、バッテリー不足、アラーム時刻のお知らせなどがある。
【００６１】
前記バッテリー不足、或いはアラーム時刻のお知らせの場合、イベントの発生時期をユーザが設定できる。即ち、バッテリーの残量が所定の水準以下に落ちると、イベントが発生するように設定できる。
【００６２】
また、アラーム設定時刻から３０分前にイベントが発生するように設定できる。
【００６３】
その後、前記イベントの発生を知らせるために、前記移動体のうち、前記イベントを管理する特定のアプリケーションに対する移動体の外観を変化させる（Ｓ５２０）。
前記外観の変化は、上述したものと同様に、模様、カラー、大きさなどの変化を言う。
【００６４】
図６Ｂは、設定されたアラーム時刻が迫っていることを知らせるために、アラームを代表する移動体の外観を変化させる例を示す。図７は、バッテリーが足りないイベントが発生して、これを知らせるために、バッテリーを代表する移動体の外観を変化させた例を示している。
【００６５】
そして、前記移動体のうち何れか一つが選択された場合(Ｓ５３０)、前記選択された移動体が代表する特定のアプリケーションを実行する（Ｓ５４０）。前記選択は、前記ポインティングデバイスを介して行われ得る。
【００６６】
例えば、図６Ｃはアラームを代表する移動体が選択される状況を示し、図６Ｄはアラームというアプリケーションが実行された状態を示す。ユーザは図６Ｄの画面を見てアラーム時刻を確認できる。同様に、図７のバッテリー不足イベントの場合に、バッテリーを代表する移動体が選択されると、バッテリーというアプリケーションが実行され、バッテリーの残量がどれぐらいであるかが確認できる。
【００６７】
図８は本発明の好ましい第４実施例による移動端末機を用いた移動体インタフェースの提供方法のフローチャートである。
【００６８】
図９Ａないし図９Ｅは、本発明の好ましい第４実施例によって提供される移動体インタフェースの例示図である。
【００６９】
図８および図９を参照して、本発明の好ましい第４実施例による移動端末機を用いた移動体インタフェースの提供方法を説明する。
【００７０】
本発明に係る移動体インタフェースの提供方法は、ポインティングデバイスを備えた移動端末機を用いる。
【００７１】
まず、図９Ａに示したように、それぞれの特定のアプリケーションを代表する一つ以上の移動体を前記端末機の画面にディスプレイする(Ｓ８００)。前記特定のアプリケーション及び移動体に関する細部的な特徴は、本発明の好ましい第１実施例で説明したものと同一である。
【００７２】
その後、特定のイベントの発生を感知する(Ｓ８１０)。イベント発生感知段階(Ｓ８１０)の細部的な特徴は、本発明の好ましい第３実施例で説明したものと同一である。
【００７３】
その後、図９Ｂに示したように、前記イベントの発生により、前記イベントを代表するアイコンを前記画面の所定の位置にディスプレイする(Ｓ８２０)。図９Ｂは、手紙形状のアイコンを画面の左側の上端(図９Ｂの点線)にディスプレイして、新たなメッセージを受信したことを示している。
【００７４】
その後、前記移動体のうち、前記イベントを管理する特定のアプリケーションに対する移動体が前記アイコンの位置した地点に移動する形状をディスプレイする(Ｓ８３０)。例えば、図９Ｃに示したように、新たなメッセージの受信というイベントが発生した場合、メッセージを代表する移動体がメッセージの受信を表すアイコンに向けて移動する。
【００７５】
図９Ｄは、メッセージを代表する移動体がメッセージの受信を表すアイコンに到着した状態を示す。ユーザは図９Ｄの画面を見て新たなメッセージが受信されたことが分かる。また、ユーザは前記移動体の移動速度を設定できる。
【００７６】
一方、前記イベントを管理するアイコンと、前記イベントを管理する特定のアプリケーションに対する移動体とが共に画面内を移動しながらディスプレイされることもできる。
【００７７】
図９Ｅは、メッセージの受信を表すアイコンと、メッセージを代表する移動体とが共に移動したことを示している。
【００７８】
また、前記イベントを管理する特定のアプリケーションに対する移動体は、上述したように、模様、色、大きさなど、外観の変化が可能である。図９Ｄでメッセージを代表する移動体の色が他の移動体より濃くディスプレイされている。
【００７９】
そして、前記移動体のうち何れか一つが選択された場合(Ｓ８４０)、その選択された移動体が代表する特定のアプリケーションを実行する(Ｓ８５０)。前記Ｓ８４０およびＳ８５０の段階に関する細部的な特定は、本発明の好ましい第３実施例で説明したものと同一である。例えば、図９Ｅはメッセージを代表する移動体が選択される状況を示す。
【００８０】
図１０は本発明の好ましい第５実施例による移動体インタフェースを提供する移動端末機のブロック構成図である。
【００８１】
図１０を参照して、本発明の好ましい第５実施例による移動体インタフェースを提供する移動端末機を詳細に説明する。
【００８２】
本発明の好ましい第５実施例による移動端末機は、無線通信部１０、制御部１１、タッチスクリーン１２、表示部１３、音響出力部１４、およびメモリ１５を含んで構成されている。
【００８３】
前記無線通信部１０は、外部とデータを送受信するための通信装置として、本発明で必ずしも備えなければならないものではない。
【００８４】
前記制御部１１は、本発明に係る移動端末機の動作を総括する。
【００８５】
前記タッチスクリーン１２は、外部のタッチによって入力信号を受信する入力装置として、前記表示部１３に備えられることが好ましい。しかし、前記タッチスクリーン１２はポインティングデバイスの一例に過ぎず、これに限定されるものではない。したがって、本発明に係る移動端末機の入力装置は、前記タッチスクリーン１２以外にもタッチパッド、マウスなど、全てのポインティングデバイスを含む。
【００８６】
前記表示部１３は、前記端末機の状態および各種の情報をディスプレイするための表示装置である。
【００８７】
前記制御部１１を中心に本発明に係る移動端末機の動作を詳細に説明すると次の通りである。前記制御部１１の動作例は大きく４つに分けられ、それぞれ本発明の好ましい第１ないし第４実施例による移動体インタフェースの提供方法に対応する。したがって、前記制御部１１の各動作例に関する具体的な説明は省略する。
【００８８】
第１動作例
前記制御部１１は、それぞれの特定のアプリケーションを代表する一つ以上の移動体を前記表示部１３にディスプレイして、特定のイベントの発生を感知し、前記イベントの発生感知によって前記移動体のディスプレイを変化させるように制御する。
【００８９】
前記特定のアプリケーション、移動体および特定のイベントに関する細部的な特徴は、本発明の好ましい第１実施例で説明したものと同様である。
即ち、前記特定のイベントの例として、前記タッチスクリーン１２を介して前記表示部１３の特定の地点が選択される場合、前記制御部１１は、前記地点から所定の距離内に位置する前記移動体を前記地点の周辺にディスプレイするように制御する。
【００９０】
前記特定のイベントの他の例として、外部からメッセージを受信する場合がある。
【００９１】
また、前記制御部１１は、前記移動体のうち何れか一つが選択された場合、その選択された移動体が代表する特定のアプリケーションを実行させる動作を更に行うことができる。
【００９２】
第２動作例
前記制御部１１は、それぞれの特定のアプリケーションを代表する一つ以上の移動体を前記表示部１３にディスプレイし、前記タッチスクリーン１２を介して前記表示部１３内の特定の地点が入力された場合、前記地点から所定の距離内に位置する前記移動体が前記地点の周辺に集まるまで前記地点に向けて移動する形状をディスプレイするように制御する。
【００９３】
前記特定のアプリケーション、および移動体に関する細部的な特徴は、本発明の好ましい第１実施例で説明したものと同様である。
【００９４】
ユーザは前記移動体の移動速度を任意で設定することができる。
【００９５】
前記制御部１１は、前記移動する移動体の外観を変化させる動作を更に行うことができる。
【００９６】
そして、前記制御部１１は、前記移動体のうち何れか一つが選択された場合、その選択された移動体が代表する特定のアプリケーションを実行させる動作を更に行うことができる。
【００９７】
また、前記制御部１１は、前記選択された移動体の外観を変化させたり、前記音響出力部１４を介して前記移動体の選択を知らせるための音響を出力する動作を更に行うことができる。勿論、前記移動体の外観変化および音響出力を同時に行うこともできる。
【００９８】
第３動作例
前記制御部１１は、それぞれの特定のアプリケーションを代表する一つ以上の移動体を前記表示部１３にディスプレイして、特定のイベントの発生を感知して、前記イベントの発生を知らせるために、前記移動体のうち前記イベントを管理する特定のアプリケーションに対する移動体の外観を変化させるように制御する。
【００９９】
前記特定のアプリケーション、移動体および移動体の外観変化に関する細部的な特徴は、本発明の好ましい第１実施例で説明したものと同様である。
【０１００】
また、前記制御部１１は、前記移動体のうち何れか一つが選択された場合、その選択された移動体が代表する特定のアプリケーションを実行させる動作を更に行うことができる。
【０１０１】
第４動作例
前記制御部１１は、それぞれの特定のアプリケーションを代表する一つ以上の移動体を前記表示部１３にディスプレイして、特定のイベントの発生を感知し、前記イベントの発生によって前記イベントを代表するアイコンを前記表示部１３の所定の位置にディスプレイして、前記移動体のうち前記イベントを管理する特定のアプリケーションに対する移動体が前記アイコンが位置した地点に移動する形状をディスプレイするように制御する。
【０１０２】
前記特定のアプリケーションおよび移動体に関する細部的な特徴は、本発明の好ましい第１実施例で説明したものと同様である。
【０１０３】
ユーザは前記移動体の移動速度を任意で設定することができる。
【０１０４】
また、前記制御部１１は、前記移動体のうち何れか一つが選択された場合、その選択された移動体が代表する特定のアプリケーションを実行させる動作を更に行うことができる。
【０１０５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１０６】
複雑で膨大なデータ、メニューおよび端末機のイベント情報を簡便に管理して、接近するための移動体インタフェースを提供する移動端末機、およびこれを用いた移動体インタフェースの提供方法を提供する。
【０１０７】
本発明に係る移動端末機を用いた移動体インタフェース提供方法は、ポインティングデバイスを備えた移動端末機を用いて、(ａ）それぞれの特定のアプリケーションを代表する一つ以上の移動体を前記端末機の画面にディスプレイする段階と、(ｂ）特定のイベントの発生を感知する段階と、(ｃ）前記イベント発生の感知により、前記移動体のディスプレイを変化させる段階と、を備えてなる。
【図面の簡単な説明】
【０１０８】
【図１】本発明の好ましい第１実施例による移動端末機を用いた移動体インタフェース提供方法のフローチャートである。
【図２】本発明に係る移動体インタフェースを提供する待機画面の一例を示した図面である。
【図３】本発明の好ましい第２実施例による移動端末機を用いた移動体インタフェース提供方法のフローチャートである。
【図４Ａ】本発明の好ましい第２実施例によって提供される移動体インタフェースの例示図である。
【図４Ｂ】本発明の好ましい第２実施例によって提供される移動体インタフェースの例示図である。
【図４Ｃ】本発明の好ましい第２実施例によって提供される移動体インタフェースの例示図である。
【図４Ｄ】本発明の好ましい第２実施例によって提供される移動体インタフェースの例示図である。
【図４Ｅ】本発明の好ましい第２実施例によって提供される移動体インタフェースの例示図である。
【図４Ｆ】本発明の好ましい第２実施例によって提供される移動体インタフェースの例示図である。
【図４Ｇ】本発明の好ましい第２実施例によって提供される移動体インタフェースの例示図である。
【図５】本発明の好ましい第３実施例による移動端末機を用いた移動体インタフェース提供方法のフローチャートである。
【図６Ａ】本発明の好ましい第３実施例によって提供される移動体インタフェースの例示図である。
【図６Ｂ】本発明の好ましい第３実施例によって提供される移動体インタフェースの例示図である。
【図６Ｃ】本発明の好ましい第３実施例によって提供される移動体インタフェースの例示図である。
【図６Ｄ】本発明の好ましい第３実施例によって提供される移動体インタフェースの例示図である。
【図７】本発明の好ましい第３実施例による他の例示図である。
【図８】本発明の好ましい第４実施例による移動端末機を用いた移動体インタフェースの提供方法のフローチャートである。
【図９Ａ】本発明の好ましい第４実施例によって提供される移動体インタフェースの例示図である。
【図９Ｂ】本発明の好ましい第４実施例によって提供される移動体インタフェースの例示図である。
【図９Ｃ】本発明の好ましい第４実施例によって提供される移動体インタフェースの例示図である。
【図９Ｄ】本発明の好ましい第４実施例によって提供される移動体インタフェースの例示図である。
【図９Ｅ】本発明の好ましい第４実施例によって提供される移動体インタフェースの例示図である。
【図１０】本発明の好ましい第５実施例による移動体インタフェースを提供する移動端末機のブロック構成図である。
【図１】
2006311498.tif 000003
【図２】
2006311498.tif 000004
【図３】
2006311498.tif 000005
【図４Ａ】
2006311498.tif 000006
【図４Ｂ】
2006311498.tif 000007
【図４Ｃ】
2006311498.tif 000008
【図４Ｄ】
2006311498.tif 000009
【図４Ｅ】
2006311498.tif 000010
【図４Ｆ】
2006311498.tif 000011
【図４Ｇ】
2006311498.tif 000012
【図５】
2006311498.tif 000013
【図６Ａ】
2006311498.tif 000014
【図６Ｂ】
2006311498.tif 000015
【図６Ｃ】
2006311498.tif 000016
【図６Ｄ】
2006311498.tif 000017
【図７】
2006311498.tif 000018
【図８】
2006311498.tif 000019
【図９Ａ】
2006311498.tif 000020
【図９Ｂ】
2006311498.tif 000021
【図９Ｃ】
2006311498.tif 000022
【図９Ｄ】
2006311498.tif 000023
【図９Ｅ】
2006311498.tif 000024
【図１０】
2006311498.tif 000025